(57)【要約】【課題】調整対象となる対象色を調整目標となる目標色に向かって調整を行う場合に、対象色を目標色に近づけ、かつ、画像全体のカラーバランスが良好に再現される色調整が行える色調整装置および色調整方法を提供する。【解決手段】選択的色調整部１１において、カラー画像を表現する色空間内の調整対象となる対象色と調整目標となる目標色を含む部分色空間の中で、対象色から目標色に向かって、対象色と目標色を含む部分色空間の中で階調逆転の無いように調整を行う。色分布解析部１２は、対象色から目標色への局所的な色調整後の選択的色調整画像を解析し、ヒストグラムを生成する。そして、階調変換カーブ生成部１３は、選択的色調整画像のヒストグラムが目標のヒストグラムに近づくような階調変換カーブを生成する。この階調変換カーブを用い、全体的色調整部１４は選択的色調整画像の全体に対する色調整を行う。【選択図】図１
2007214970.tif 000002
【特許請求の範囲】
【請求項１】
カラー画像の色を調整する色調整装置において、調整対象となる対象色から調整目標色に向かった局所的な色調整を行う選択的色調整手段と、該選択的色調整手段で色調整を行ったカラー画像の全体に対する色調整を行う全体的色調整手段を有することを特徴とする色調整装置。
【請求項２】
カラー画像の色を調整する色調整装置において、前記カラー画像を表現する色空間内の調整対象となる対象色と調整目標となる目標色を含む部分色空間の中で前記対象色から前記目標色に向かう選択的な色調整を行う選択的色調整手段と、該選択的色調整手段による選択的な色調整を行った後のカラー画像である選択的色調整画像の色分布を解析する色分布解析手段と、該色分布解析手段で解析した前記色分布に応じて前記選択的色調整画像の全体に対する色調整を行う全体的色調整手段を有することを特徴とする色調整装置。
【請求項３】
前記全体的色調整手段は、前記色分布解析手段で解析した前記色分布が目標の色分布に近づくように、前記選択的色調整画像の全体に対する色調整を行うことを特徴とする請求項２に記載の色調整装置。
【請求項４】
前記色分布解析手段は、前記選択的色調整画像の画素値に対するヒストグラムで前記色分布を表すことを特徴とする請求項２または請求項３に記載の色調整装置。
【請求項５】
前記ヒストグラムが目標のヒストグラムに近づくような階調変換カーブを生成する階調変換カーブ生成手段を備え、前記全体的色調整手段は、前記階調変換カーブ生成手段で生成された前記階調変換カーブを用いて前記選択的色調整画像の全体に対する色調整を行うことを特徴とする請求項４に記載の色調整装置。
【請求項６】
前記階調変換カーブ生成手段は、前記選択的色調整画像の全体に対するカラーバランスを調整するカーブを前記階調変換カーブとして生成することを特徴とする請求項５に記載の色調整装置。
【請求項７】
前記階調変換カーブ生成手段は、調整対象となる対象色に対する調整の重要度、または、前記カラー画像全体に対する調整の重要度に応じて前記階調変換カーブを制御することを特徴とする請求項５に記載の色調整装置。
【請求項８】
前記階調変換カーブ生成手段は、前記カラー画像が表すシーンに応じて前記階調変換カーブを制御することを特徴とする請求項５に記載の色調整装置。
【請求項９】
前記階調変換カーブ生成手段は、前記対象色と前記目標色のうち、少なくとも１つに応じて前記階調変換カーブを制御することを特徴とする請求項５に記載の色調整装置。
【請求項１０】
カラー画像の色を調整する色調整方法において、調整対象となる対象色から調整目標色に向かった局所的な色調整を選択的色調整手段で行い、該局所的な色調整を行ったカラー画像の全体に対する色調整を全体的色調整手段で行うことを特徴とする色調整方法。
【請求項１１】
カラー画像の色を調整する色調整方法において、前記カラー画像を表現する色空間内の調整対象となる対象色と調整目標となる目標色を含む部分色空間の中で前記対象色から前記目標色に向かう選択的な色調整を選択的色調整手段で行い、該選択的な色調整を行った後のカラー画像である選択的色調整画像の色分布に応じて前記選択的色調整画像の全体に対する色調整を全体的色調整手段で行うことを特徴とする色調整方法。
【請求項１２】
前記選択的色調整画像の色分布が目標の色分布に近づくように、前記選択的色調整画像の全体に対する色調整を行うことを特徴とする請求項１１に記載の色調整方法。
【請求項１３】
前記色分布は、前記選択的色調整画像の画素値に対するヒストグラムで表されることを特徴とする請求項１１または請求項１２に記載の色調整方法。
【請求項１４】
前記ヒストグラムが目標のヒストグラムに近づくような階調変換カーブを用いて、前記選択的色調整画像の全体に対する色調整を行うことを特徴とする請求項１３に記載の色調整方法。
【請求項１５】
前記階調変換カーブは、前記選択的色調整画像の全体に対するカラーバランスを調整するカーブであることを特徴とする請求項１４に記載の色調整方法。
【請求項１６】
前記階調変換カーブは、調整対象となる対象色に対する調整の重要度、または、前記カラー画像全体に対する調整の重要度に応じて制御されることを特徴とする請求項１４に記載の色調整方法。
【請求項１７】
前記階調変換カーブは、前記カラー画像が表すシーンに応じて制御されることを特徴とする請求項１４に記載の色調整方法。
【請求項１８】
前記階調変換カーブは、前記対象色と前記目標色のうち、少なくとも１つに応じて制御されることを特徴とする請求項１４に記載の色調整方法。
【請求項１９】
コンピュータに、カラー画像の色を調整する色調整処理を実行させる色調整プログラムであって、請求項１ないし請求項９のいずれか１項に記載の色調整装置の機能または請求項１０ないし請求項１８のいずれか１項に記載の色調整方法をコンピュータに実行させることを特徴とする色処理プログラム。
【請求項２０】
カラー画像の色を調整する色調整処理をコンピュータに実行させる色調整プログラムを格納したコンピュータが読取可能な記憶媒体において、請求項１ないし請求項９のいずれか１項に記載の色調整装置の機能または請求項１０ないし請求項１８のいずれか１項に記載の色調整方法をコンピュータに実行させる色調整プログラムを格納したことを特徴とするコンピュータが読取可能な記憶媒体。
【発明の詳細な説明】
【技術分野】
【０００１】
本発明は、カラー画像の色を調整する色調整技術に関するものである。
【背景技術】
【０００２】
カラー画像中の特定の色を調整する技術は、自然画像に対する人物の肌、風景の空、草木の緑などの記憶色とよばれる色に対して適用される場合が多い。このように、調整対象となる対象色を調整目標となる目標色に向かって調整を行う場合は、他の色に影響を与えないことが重要となる。しかしながら、狙った色のみが調整できても、画像全体が不自然なものと感じることもある。例えば、人の肌の色が明るくなるように局所的な調整を行ったとしても、全体が暗い画像では、人物の肌のみが明るくなって、画像全体としてはバランスの悪いものとなる。対象色を目標色に向かって調整することは重要ではあるが、結果的には、画像全体に対する好ましさを考慮しなければならないので、全体のカラーバランスを考慮した上で、対象色を調整することが必要となる。
【０００３】
対象色から目標色に向かって調整を行う場合の従来の手法として、例えば、特許文献１に記載されている色調整方法がある。この色調整方法は、カラー画像を表現する色空間の中で、調整対象となる対象色と、調整目標となる目標色を含む部分色空間を設定し、部分色空間の中のみで色調整を行うことができる。対象色（対象点）が目標色（目標点）になるように、かつ、逆転がないように点を移動させることで、他の色に影響を及ぼすことなく特定色の調整を行うことができる。
【０００４】
この特許文献１に記載されている色調整方法は、部分色空間の範囲をやや広めに設定すれば、画像全体に対しても自然になるような調整を行うことはできる。しかし、様々な画像に対して、適応的に色分布を判定した上で、自動的に範囲を設定できるものではなかった。また、対象色を中心とした色調整範囲を設定するので、画像全体の色分布を考慮していない。このため、狙った色の調整と、画像全体の調整とのバランスをとった色調整を行うことができないという問題があった。
【０００５】
【特許文献１】特開２００４−１１２６９４号公報
【発明の開示】
【発明が解決しようとする課題】
【０００６】
本発明は、上述した事情に鑑みてなされたもので、調整対象となる対象色を調整目標となる目標色に向かって調整を行う場合に、対象色を目標色に近づけ、かつ、画像全体のカラーバランスが良好に再現される色調整が行える色調整装置および色調整方法と、そのような色調整を行う色調整プログラム、その色調整プログラムを格納した記憶媒体を提供することを目的とするものである。
【課題を解決するための手段】
【０００７】
本発明は、カラー画像の色を調整する色調整装置及び色調整方法であって、調整対象となる対象色から調整目標色に向かった局所的な色調整を行い、その局所的な色調整を行ったカラー画像の全体に対する色調整を行うことを特徴とするものである。より具体的には、まず、カラー画像を表現する色空間内の調整対象となる対象色と調整目標となる目標色を含む部分色空間の中で、対象色から目標色に向かう選択的な色調整を行う。そして、選択的な色調整を行った後のカラー画像である選択的色調整画像の色分布に応じて、選択的色調整画像の全体に対する色調整を行うことを特徴とするものである。
【０００８】
選択的色調整画像の全体に対する色調整は、選択的色調整画像の色分布、例えば選択的色調整画像の画素値に対するヒストグラムが、目標の色分布に近づくように行うとよい。また、このようなヒストグラムを用いた全体的な色調整を行う場合、選択的色調整画像の画素値に対するヒストグラムが目標のヒストグラムに近づくような階調変換カーブを用いて行うとよい。このときの階調変換カーブは、選択的色調整画像の全体に対するカラーバランスを調整するカーブとし、あるいは調整対象となる対象色に対する調整の重要度、または、カラー画像全体に対する調整の重要度に応じて制御するとよい。さらに、カラー画像が表すシーンや、対象色と前記目標色のうち少なくとも１つに応じて、階調変換カーブを制御してもよい。
【０００９】
また本発明は、色調整プログラムであって、上述のようなカラー画像の色を調整する色調整処理をコンピュータに実行させることを特徴とするものである。また、コンピュータが読取可能な記憶媒体であって、上述の色調整プログラムを格納したことを特徴とするものである。
【発明の効果】
【００１０】
本発明によれば、調整対象となる対象色を調整目標となる目標色に向かって調整を行う場合に、対象色を目標色に近づけ、かつ、画像全体のカラーバランスが良好に再現される色調整を行うことができるという効果がある。
【発明を実施するための最良の形態】
【００１１】
図１は、本発明の第１の実施の形態を示すブロック図である。図中、１１は選択的色調整部、１２は色分布解析部、１３は階調変換カーブ生成部、１４は全体的色調整部である。
【００１２】
選択的色調整部１１は、与えられたカラー画像を表現する色空間内において、調整対象となる対象色から調整目標色に向かって、対象色と目標色を含む部分色空間の中で階調逆転が生じないように、局所的な色調整を行う。この局所的な色調整は、例えば特許文献１に記載されている色調整方法を適用して行うことができる。なお、この選択的色調整部１１による局所的な色調整を行った後のカラー画像を、選択的色調整画像とする。
【００１３】
色分布解析部１２は、選択的色調整画像の色分布を解析する。色分布は、例えば、選択的色調整画像の画素値に対するヒストグラムにより表すことができる。
【００１４】
階調変換カーブ生成部１３は、色分布解析部１２で得られたヒストグラムが目標のヒストグラムに近づくような階調変換カーブを生成する。このとき、選択的色調整画像の全体に対するカラーバランスを調整するカーブを前記階調変換カーブとして生成することができる。また、調整対象となる対象色に対する調整の重要度、または、前記カラー画像全体に対する調整の重要度に応じて、階調変換カーブを制御することにより、さらに最適な色調整を行うことができる。
【００１５】
全体的色調整部１４は、階調変換カーブ生成部１３で生成した階調変換カーブを用いて、選択的色調整画像の全体に対する色調整を行う。上述のように階調変換カーブ生成部１３で生成した階調変換カーブが、選択的色調整画像の色分布（ヒストグラム）を目標の色分布（ヒストグラム）に近づけるものであるから、この全体的色調整部１４によって選択的色調整画像は全体的に最適な色調整が施されることになる。
【００１６】
本発明の第１の実施の形態における動作の一例について簡単に説明しておく。処理対象のカラー画像は、まず、選択的色調整部１１において局所的な色調整が施され、選択的色調整画像が生成される。図２は、選択的色調整部１１における局所的な色調整の概念図である。選択的色調整部１１では、例えば特許文献１に記載されている色調整方法などを用いて、調整対象となる対象色から、調整目標となる目標色へ向かって、対象色と目標色を含む部分色空間の中で階調逆転の無い調整を行う。図２に示すように、対象色及び目標色を含む部分色空間において、色の調整を行う。図中、部分色空間の外郭を太線で示している。対象色は目標色へ変換するが、それとともに、周囲の色についても色の逆転が生じないように調整する。また、部分色空間の内外で色のジャンプなどが発生しないように、さらに部分色空間の外郭において調整量が０となるように、図中の矢線のように部分色空間内の色についての調整を行う。
【００１７】
このような局所的な色調整によって、例えば人物の肌、風景の空、草木の緑などの記憶色に対して、他の色に影響を与えることなく調整することができる。もちろん、このような記憶色に限らず、調整対象となる色はどのような色であってもよい。また、局所的な色調整の方法は、特許文献１に記載されている方法に限られるものではない。
【００１８】
次に、選択的色調整部１１で調整された画像を選択的色調整画像として、その選択的色調整画像の全体に対する色調整を行う。図３は、選択的色調整画像の全体に対する色調整の一例の説明図である。選択的色調整画像の全体に対する色調整のために、まず色分布解析部１２では、選択的色調整画像の画像全体について色分布の解析を行う。色分布の解析結果は、例えば、画像全体の画素値に対するヒストグラムとすればよい。図３（Ａ）に示した例では、カラー画像をＲＧＢ色空間の画像であるものとし、それぞれの色成分についてのヒストグラムを作成している。
【００１９】
このようにして色分布解析部１２において選択的色調整画像の色分布の解析結果（ここではヒストグラム）が得られたら、その解析結果を用いて、階調変換カーブ生成部１３で適正な色分布に近づくような階調変換カーブを生成する。生成した階調変換カーブの一例を図３（Ｂ）に示している。ここではヒストグラムがＲ、Ｇ、Ｂのそれぞれの色成分について得られているので、階調変換カーブもＲ、Ｇ、Ｂのそれぞれについて生成している。
【００２０】
ここで、適正な色分布とは、例えば、カラーバランスのとれた色分布としてもよい。カラーバランスは、ホワイトバランスや、明度のコントラスト、彩度のコントラストのように、色分布としてのバランスを表す。調整の設計指針があれば、目標となる色分布を予め設定してもよい。ここでは図３（Ｃ）に示すようなヒストグラムを適正な色分布の目標として、図３（Ａ）に示した選択的色調整画像のヒストグラムが図３（Ｃ）に示した目標のヒストグラムとなるように、階調変換カーブ生成部１３で階調変換カーブを生成する。
【００２１】
全体的色調整部１４では、階調変換カーブ生成部１３で生成された階調変換カーブを用い、選択的色調整画像の全体に対して、階調変換を行う。これにより、全体的な色調整が施された画像（最終調整画像）は、対象色を目標色に近づけ、かつ、画像全体のカラーバランスが適正に調整された画像となる。この全体的な色調整によって、図３（Ａ）に示した選択的色調整画像のヒストグラムは、図３（Ｃ）に示すようなヒストグラムとなる最終調整画像となる。
【００２２】
なお、図３に示した具体例は、あるカラー画像についてのものであり、処理対象のカラー画像及び局所的な色調整の結果により選択的色調整画像のヒストグラムは大きく変わるし、それに伴って階調変換カーブも変化することになる。
【００２３】
また、図３においてはＲＧＢ色空間を用いた場合の例を示しているが、画像を表現する色空間であれば、ＹＣｂＣｒやＬ* ａ* ｂ* など、どのような色空間を用いてもよい。さらに、色分布解析部１２における解析結果として、色成分毎のヒストグラムを生成するほか、例えば３次元的なヒストグラムを作成したり、またヒストグラム以外の解析結果を出力することも可能である。
【００２４】
階調変換カーブ生成部１３で生成する階調変換カーブは、対象色から目標色への調整と画像全体の調整との重要度に応じて、最終調整画像をどのような状態にしたいかで制御することができる。例えば、画像全体の調整を優先したい場合は、カーブを強めに設定し、対象色から目標色への調整を優先したい場合は、カーブを弱めに設定することができる。なお、カーブの強弱は、例えば図３（Ｂ）に示す階調変換カーブの場合、入力側と出力側が同じ値となる直線であるときには調整が行われない状態を示し、その直線から大きく離れるほど調整が強く行われることになる。また、その直線よりも左上に離れれば入力値よりも出力値が大きくなるように調整され、右下に離れれば入力値よりも出力値が小さくなるように調整される。もちろん図３（Ｂ）に示すように、階調変換カーブの形状は様々であるが、色の逆転などが生じないように単調に増加する必要がある。
【００２５】
図４は、本発明の第２の実施の形態を示すブロック図である。図中、図１と同様の部分には同じ符号を付して重複する説明を省略する。この第２の実施の形態では、例えば画像全体を明るめにしたい場合や、メリハリをつけたい場合など、調整対象のカラー画像のシーンに応じた調整を行うものである。そのための構成として、この第２の実施の形態では階調変換カーブ生成部１３にカラー画像のシーンの特徴を入力している。階調変換カーブ生成部１３では、入力されたシーンの特徴に応じた階調変換カーブを生成し、全体的色調整部１４に渡している。
【００２６】
図５は、シーンに応じた目標ヒストグラムの一例の説明図、図６は、カラー画像のシーンの一例の説明図である。図５（Ａ）に示す例では、各色成分のヒストグラムのピークが、値が大きい側にある。従って、全体的に明るめの画像を目標としたものである。また、図５（Ｂ）に示す例では、各色成分のヒストグラムとも、値が大きめと小さめの２つのピークを有している。これによって、明るい部分と暗い部分のメリハリがある画像を目標とすることができる。
【００２７】
階調変換カーブ生成部１３では、入力されたシーンの特徴が例えば曇天時の画像などのように暗めの画像であれば、図５（Ａ）に示すような目標ヒストグラムを用いて、全体的に明るめの画像を目標とする階調変換カーブを生成する。また、縞模様のようなエッジ部分が多い画像であれば、図５（Ｂ）に示すような目標ヒストグラムを用いて、全体的にメリハリのきいた画像を目標とする階調変換カーブを生成すればよい。例えば図６（Ａ）に示すような人物を含むシーンの場合には、選択的色調整部１１で肌の色などを調整した上で、全体として図５（Ｂ）に示すような目標ヒストグラムを用いてメリハリを向上させた画像に調整すればよい。また、例えば図６（Ｂ）に示すような風景のシーンの場合には、選択的色調整部１１で空の色や海の色などを調整した上で、全体として図５（Ａ）に示すような目標ヒストグラムを用いて明るめの画像に調整すればよい。このようにして、調整対象となるカラー画像のシーンに応じた階調変換カーブを生成し、全体的な調整を行うことができる。
【００２８】
なお、階調変換カーブはいくつかの目標ヒストグラムに応じて予め作成しておき、入力されたシーンの指定に従って階調変換カーブを選択するように構成することもできる。例えば図６（Ａ）に示すような人物を含むシーンの場合には、メリハリを向上させる階調変換カーブを選択して選択的色調整画像を調整し、また、例えば図６（Ｂ）に示すような風景のシーンの場合には、明るさを向上させる階調変換カーブを選択して選択的色調整画像を調整すればよい。
【００２９】
上述の説明では調整対象のカラー画像のシーンの特徴が与えられるものとしたが、このカラー画像のシーンを自動的に判定するように構成することもできる。シーンの判定は、例えば公知の画像認識処理を応用してもよいし、またはＥｘｉｆ画像などのタグ情報を用いて、人物モード、風景モードなどの撮影モードで判定してもよい。もちろん、手動でシーンの種類を入力することもできる。
【００３０】
図７は、本発明の第３の実施の形態を示すブロック図である。図中、図１と同様の部分には同じ符号を付して重複する説明を省略する。この第３の実施の形態では、対象色または目標色に応じて階調変換カーブを制御する例を示している。そのための構成として、この第３の実施の形態では選択的色調整部１１で用いた対象色及び目標色を階調変換カーブ生成部１３にも入力している。階調変換カーブ生成部１３では、入力された対象色及び目標色に応じた階調変換カーブを生成し、全体的色調整部１４に渡している。
【００３１】
図８は、本発明の第３の実施の形態における階調変換カーブ生成部１３の対象色を用いた動作の一例を示すフローチャートである。ここでは空などの青色と人間の肌などの肌色について、対応する階調変換カーブを生成する例を示している。Ｓ２１において、選択的色調整部１１で用いた対象色を判定し、対象色が青色であれば、Ｓ２２において風景画像向けの階調変換カーブを生成する。また、対象色が肌色であれば、Ｓ２３において人物画像向けの階調変換カーブを生成する。いずれでもない場合には、Ｓ２４において一般画像向けの階調変換カーブを生成する。生成した階調変換カーブは全体的色調整部１４に渡され、選択的色調整画像に対して全体的な色調整が施される。
【００３２】
ここでは青色と肌色について、対応する階調変換カーブを生成する例を示したが、これに限らず、様々な対象色について対応する階調変換カーブを生成するように構成することができる。また、対象色の代わりに目標色を用いても同様に、それぞれの目標色に対応した階調変換カーブを生成することができる。
【００３３】
さらに、対象色と目標色の距離によって画像全体のヒストグラムに与える影響が異なるので、この対象色と目標色の距離に応じた階調変換カーブを生成することができる。図９は、対象色と目標色の距離の一例の説明図である。図２でも説明したように、選択的色調整部１１では、例えば特許文献１に記載されている色調整方法などを用いて、調整対象となる対象色から、調整目標となる目標色へ向かって、対象色と目標色を含む部分色空間の中で階調逆転の無いように調整を行う。このとき、図９（Ｂ）に示すように対象色と目標色の色空間における距離が短い場合には、部分色空間内で色を調整しても全体に対しての影響は小さいが、図９（Ａ）に示すように対象色と目標色の色空間における距離が長いと、画像全体に対して色の偏りを生じさせる可能性が高くなる。例えば選択的色調整画像のヒストグラムを作成した場合、局所的な色調整によってヒストグラムの形状が変化するが、この変化は大きく調整すればヒストグラムへの影響も大きくなる。
【００３４】
このように対象色と目標色の間の距離によって画像全体に対する影響が異なるため、対象色と目標色の間の距離に応じて階調変換カーブを制御するとよい。例えば図９（Ｂ）に示すように対象色と目標色の間の距離が小さい場合にはカーブを弱めに設定し、図９（Ａ）に示すように対象色と目標色の間の距離が大きい場合にはカーブを強めに設定することができる。
【００３５】
なお、いずれの場合も予めいくつかの階調変換カーブを生成しておいて、対象色あるいは目標色、または対象色と目標色の間の距離等に応じて対応する階調変換カーブを選択するように構成してもよい。
【００３６】
図１０は、本発明の色調整装置の機能または色調整方法をコンピュータプログラムで実現した場合におけるコンピュータプログラム及びそのコンピュータプログラムを格納した記憶媒体の一例の説明図である。図中、３１はプログラム、３２はコンピュータ、４１は光磁気ディスク、４２は光ディスク、４３は磁気ディスク、４４はメモリ、５１は光磁気ディスク装置、５２は光ディスク装置、５３は磁気ディスク装置である。
【００３７】
上述の各実施の形態で説明した各部の機能の一部または全部を、コンピュータにより実行可能なプログラム３１によって実現することが可能である。その場合、そのプログラム３１およびそのプログラムが用いるデータ（生成した色変換モデルのデータを含む）などは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク４１，光ディスク４２（ＣＤやＤＶＤなどを含む）、磁気ディスク４３，メモリ４４（ＩＣカード、メモリカードなどを含む）等である。もちろんこれらの記憶媒体は、可搬型に限られるものではない。
【００３８】
これらの記憶媒体にプログラム３１を格納しておき、例えばコンピュータ３２の光磁気ディスク装置５１，光ディスク装置５２，磁気ディスク装置５３，あるいは図示しないメモリスロットやインタフェースにこれらの記憶媒体を装着することによって、コンピュータがプログラム３１を読み出し、本発明の画像処理装置の機能または画像処理方法を実行することができる。あるいは、予め記憶媒体をコンピュータ３２に装着しておき、例えばネットワークなどを介してプログラム３１をコンピュータ３２に転送し、記憶媒体にプログラム３１を格納して実行させてもよい。
【００３９】
もちろん、一部の機能についてハードウェアによって構成することもできるし、あるいは、すべてをハードウェアで構成してもよい。あるいは、他の構成とともに本発明の色変換装置の構成も含めたプログラムとして構成することも可能であり、例えば画像形成装置などの制御プログラムとともに１つのプログラムとして構成することもできる。もちろん、他の用途に適用する場合には、その用途におけるプログラムとの一体化も可能である。
【図面の簡単な説明】
【００４０】
【図１】本発明の第１の実施の形態を示すブロック図である。
【図２】選択的色調整部１１における局所的な色調整の概念図である。
【図３】選択的色調整画像の全体に対する色調整の一例の説明図である。
【図４】本発明の第２の実施の形態を示すブロック図である。
【図５】シーンに応じた目標ヒストグラムの一例の説明図である。
【図６】カラー画像のシーンの一例の説明図である。
【図７】本発明の第３の実施の形態を示すブロック図である。
【図８】本発明の第３の実施の形態における階調変換カーブ生成部１３の対象色を用いた動作の一例を示すフローチャートである。
【図９】対象色と目標色の距離の一例の説明図である。
【図１０】本発明の色調整装置の機能または色調整方法をコンピュータプログラムで実現した場合におけるコンピュータプログラム及びそのコンピュータプログラムを格納した記憶媒体の一例の説明図である。
【符号の説明】
【００４１】
１１…選択的色調整部、１２…色分布解析部、１３…階調変換カーブ生成部、１４…全体的色調整部、３１…プログラム、３２…コンピュータ、４１…光磁気ディスク、４２…光ディスク、４３…磁気ディスク、４４…メモリ、５１…光磁気ディスク装置、５２…光ディスク装置、５３…磁気ディスク装置。
【図１】
2007214970.tif 000003
【図２】
2007214970.tif 000004
【図３】
2007214970.tif 000005
【図４】
2007214970.tif 000006
【図５】
2007214970.tif 000007
【図６】
2007214970.tif 000008
【図７】
2007214970.tif 000009
【図８】
2007214970.tif 000010
【図９】
2007214970.tif 000011
【図１０】
2007214970.tif 000012